(57)【要約】【課題】ボール内における食材の洗浄、混合その他の処理を行いやすくするとともに、ボールを調理台の上に置く場合であっても、容易には滑らないようなボールを提供する。【解決手段】ボール（１００）の底面から全高（Ｙ）の多くても半分の高さまでの領域（Ｈ）において、内面には複数の凸部（１１２）が形成されており、前記領域（Ｈ）において、ボール（１００）の外面は滑り止め用ゴムシート１３０で覆われている。【選択図】図１
0003125303.tif 000002
【実用新案登録請求の範囲】
【請求項１】
底面から全高の多くても半分の高さまでの領域において、内面には複数の凸部が形成されており、
前記領域において、外面は滑り止め用ゴムシートで覆われているボール。
【請求項２】
上縁には、水平方向において、一の方向に延びる延長部が把手として形成されており、
前記上縁を上限とする前記内壁の領域であって、前記延長部と対向する領域には、複数の排水用孔が形成されていることを特徴とする請求項１に記載のボール。
【考案の詳細な説明】
【技術分野】
【０００１】
本考案は調理道具の一種であるボールに関する。
【背景技術】
【０００２】
調理に使用されるボールは、一般的には、ほぼ半球形状をなした有底の容器である。ボールに水を浸して食材をその中で洗ったり、あるいは、ボールの中で食材を他の食材（例えば、調味料など）と混ぜ合わせたりする。
【考案の開示】
【考案が解決しようとする課題】
【０００３】
従来のボールの内壁は平滑な面で構成されていた。このため、ボールの内壁と食材との間の摩擦係数は小さく、ボールの中に食材を入れて洗浄、混合その他の処理を行う場合、食材がボールの中で滑り、効率的に食材の処理を行うことができないことが多々あった。
【０００４】
また、従来のボールの外壁も平滑な面で構成されていたため、ボールの外壁と調理台との間の摩擦係数は小さく、ボールを調理台の上に置いても滑りやすく、不便であることが多かった。
【０００５】
本考案はこのような問題点に鑑みてなされたものであり、ボール内における食材の洗浄、混合その他の処理を行いやすくするとともに、ボールを調理台の上に置く場合であっても、容易には滑らないようなボールを提供することを目的とする。
【課題を解決するための手段】
【０００６】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００７】
上記の目的を達成するため、本考案は、底面から全高（Ｙ）の多くても半分の高さまでの領域（Ｈ）において、内面には複数の凸部（１１２）が形成されており、前記領域（Ｈ）において、外面は滑り止め用ゴムシート（１３０）で覆われているボール（１００）を提供する。
【０００８】
上記のボール（２００）においては、上縁には、水平方向において、一の方向に延びる延長部（２１０）が把手として形成されており、前記上縁を上限とする前記内壁の領域（２２１）であって、前記延長部（２１０）と対向する領域（２２１）には、複数の排水用孔（２２０）が形成されていることが好ましい。
【考案の効果】
【０００９】
本考案に係るボールの内面には複数の凸部が形成されているため、食材をボールの中に入れて各種処理（例えば、洗浄あるいは他の食材との混合）を行う場合、凸部がない場合と比較して、食材とボールの内面との間の摩擦係数が大きくなるため、食材がボールの内部において移動しにくくなり、各種処理を行いやすくなる。
【００１０】
さらに、ボールの底面を含む外側壁面は滑り止め用ゴムシートで覆われているため、例えば、調理台上にボールを置いて各種処理を行う場合、ボールと調理台との間の摩擦係数を大きくすることができ、ボールの安定性を向上させることができる。このため、調理台上で各種処理を行う場合でも、ボールが調理台上ですぐに滑って動いてしまうことがなく、確実に各種処理を行うことができる。
【００１１】
さらに、把手としての延長部を形成することにより、延長部を持って、ボールを容易に持ち上げることができる。
【００１２】
また、排水用孔を形成することにより、ボールをそれほど傾斜させなくても、ボールの中の水を排水用孔ボールを介して捨てることができる。
【００１３】
従来のボールにおいては、ボールの上縁から水を捨てることが必要であったため、ボールを大きく傾斜させなければならず、その際に、ボールの中の食材も同時にボールから落としてしまうことがあった。本考案に係るボールによれば、ボールを大きく傾斜させなくても、排水用孔から水を捨てることができるため、ボールの中の食材を同時に落とすということはなくなる。
【考案を実施するための最良の形態】
【００１４】
（第一の実施形態）
図１は、本考案の第一の実施形態に係るボール１００の一部破断図及び一部透視図を含む正面図である。
【００１５】
本実施形態に係るボール１００は、上方が開口し、全体として半球に近い形状をなしている有底の本体１１０と、本体１１０の上縁から水平方向外側に一定の長さだけ延びるフランジ部１２０と、から構成されている。
【００１６】
本体１１０及びフランジ部１２０は一体構造をなしており、ステンレスからなる（例えば、ＳＵＳ３０４、厚さ０．６ｍｍ）。本体１１０の内面及びフランジ部１２０の上面はミラー仕上げされており、本体１１０の外面はサテン仕上げされている。
【００１７】
本体１１０の底面から所定の高さＨの領域において、本体１１０の底面の外面及び外側壁面には一様に複数の凹部１１１が形成されており、これらの凹部１１１に対応して、本体１１０の底面の内面及び内側壁面には凹部１１１と同数の凸部１１２（図１においては、凸部１１２の一部を破線で示している）が形成されている。
【００１８】
所定の高さＨは、ボール１００の全高Ｙの半分Ｙ／２までの範囲において、任意の値を選定することができる。
【００１９】
所定の高さＨの好ましい値は約Ｙ／３である。
【００２０】
さらに、本体１１０の底面から所定の高さＨの領域において、本体１１０の底面及び外側壁面は滑り止め用ゴムシート１３０で覆われている。滑り止め用ゴムシート１３０は、例えば、シリコンゴムからなる。
【００２１】
上記のような構造を有する本実施形態に係るボール１００は次のような効果を奏する。
【００２２】
本実施形態に係るボール１００の内側底面及び内側壁面には複数の凸部１１２が形成されているため、食材をボール１００の本体１１０の中に入れて各種処理（例えば、洗浄あるいは他の食材との混合）を行う場合、凸部１１２がない場合と比較して、食材と本体１１０の内面との間の摩擦係数が大きくなるため、食材が本体１１０の内部において移動しにくくなり、各種処理を行いやすくなる。
【００２３】
さらに、本体１１０の底面を含む外側壁面は滑り止め用ゴムシート１３０で覆われているため、例えば、調理台上にボール１００を置いて上記の各種処理を行う場合、ボール１００と調理台との間の摩擦係数を大きくすることができ、ボール１００の安定性を向上させることができる。このため、調理台上で上記の各種処理を行う場合でも、ボール１００が調理台上ですぐに滑ってしまうことがなく、確実に各種処理を行うことができる。
【００２４】
（第二の実施形態）
図２は、本考案の第二の実施形態に係るボール２００の斜視図である。
【００２５】
第二の実施形態に係るボール２００は、第一の実施形態に係るボール１００と比較して、以下に述べる把手と排水用孔が形成されている点が異なる。この点を除いて、第二の実施形態に係るボール２００は第一の実施形態に係るボール１００と同様の構造を有している。このため、第一の実施形態に係るボール１００における構成要素と同一の構成要素には同一の参照符号を付し、説明は省略する。
【００２６】
図２に示すように、本体１１０の上縁には、水平方向において、一の方向に延びる延長部２１０が形成されており、この延長部２１０が把手を形成している。
【００２７】
延長部２１０には、滑り止めとして、数条の凸状体２１１が形成されている。
【００２８】
ボール１００の中心軸に関して延長部２１０と対向する位置には複数の排水用孔２２０が形成されている。排水用孔２２０は、本体１１０の上縁を上限とする本体１１０の側壁の領域２２１（図２において破線で示す領域）の内部に形成されている。
【００２９】
なお、排水用孔２２０が形成される領域２２１は、本体１１０の内面に形成されている凸部１１２とは干渉しないように選定される。
【００３０】
排水用孔２２０が形成されている領域２２１は、延長部２１０が延びる方向とは逆の方向に、本体１１０から僅かに突出している。
【００３１】
第二の実施形態に係るボール２００によれば、第一の実施形態に係るボール１００により得られる効果に加えて、さらに次の二つの効果を有することができる。
【００３２】
第一に、把手としての延長部２１０が形成されているため、延長部２１０を持って、ボール２００の本体１１０を容易に持ち上げることができる。
【００３３】
さらに、本体１１０の側壁には排水用孔２２０が形成されているため、本体１１０をそれほど傾斜させなくても、本体１１０の中の水を排水用孔２２０を介して捨てることができる。
【００３４】
従来のボールにおいては、ボールの上縁から水を捨てることが必要であったため、ボールを大きく傾斜させなければならず、その際に、ボールの中の食材も同時にボールから落としてしまうことがあった。本実施形態に係るボール２００によれば、本体１１０を大きく傾斜させなくても、排水用孔２２０から水を捨てることができるため、本体１１０の中の食材を同時に落とすということはなくなる。
【図面の簡単な説明】
【００３５】
【図１】本考案の第一の実施形態に係るボール一部破断図及び一部透視図を含む正面図である。
【図２】本考案の第二の実施形態に係るボールの斜視図である。
【符号の説明】
【００３６】
１００  第一の実施形態に係るボール
１１０  本体
１１１  凹部
１１２  凸部
１２０  フランジ部
１３０  滑り止め用ゴムシート
２００  第二の実施形態に係るボール
２１０  延長部（把手）
２１１  凸状体
２２０  排水用孔
２２１  排水用孔が形成される領域
【図１】
0003125303.tif 000003
【図２】
0003125303.tif 000004